(57)【要約】【課題】座った楽な姿勢でシャワー流を受けつつマッサージ効果も得られるシャワー浴装置を提供すること。【解決手段】シャワー浴装置は、背面部と、背面部に設けられ、湯水のシャワー流が吐水される吐水部と、吐水部より下方に設けられた座部と、座部の裏側または内部に設けられた電気−機械振動変換器と、を備えている。【選択図】図１
2007268161.tif 000002
【特許請求の範囲】
【請求項１】
座部と、
背面部と、
湯水のシャワー流が吐水される吐水部と、
前記座部の裏側または内部に設けられた電気−機械振動変換器と、
を備えたことを特徴とするシャワー浴装置。
【請求項２】
座部と、
背面部と、
湯水のシャワー流が吐水される吐水部と、
前記背面部の裏側または内部に設けられた電気−機械振動変換器と、
を備えたことを特徴とするシャワー浴装置。
【請求項３】
前記座部は、湯水が溜まるように凹状に形成されたことを特徴とする請求項１または２に記載のシャワー浴装置。
【請求項４】
前記背面部に、前記座部に湯水を導くように凹状に形成された背もたれ部を有することを特徴とする請求項１〜３のいずれか１つに記載のシャワー浴装置。
【請求項５】
前記吐水部は、略水平方向に向けて噴出し前記座部の前縁近傍に落下する湯水のシャワー流を吐水する第１の吐水部を有することを特徴とする請求項１〜４のいずれか１つに記載のシャワー浴装置。
【請求項６】
前記吐水部は、前記背面部の前記第１の吐水部より下方に設けられた第２の吐水部をさらに有し、
前記第２の吐水部は、前記第１の吐水部よりも下方に向けて湯水のシャワー流を吐水することを特徴とする請求項５記載のシャワー浴装置。
【請求項７】
前記吐水部は、前記座部の中心を挟んで前記背面部の前記第１の吐水部より外側にそれぞれ設けられた１対の第３の吐水部をさらに有し、
前記第３の吐水部は、前記第１の吐水部よりも、前記座部の中心に向けた内側に向けて湯水のシャワー流を吐水することを特徴とする請求項５または６に記載のシャワー浴装置。
【請求項８】
前記吐水部は、前記座部に着座した着座者の肩を越えて下肢近傍に落下するシャワー流を吐水する第１の吐水部を有することを特徴とする請求項１〜４のいずれか１つに記載のシャワー浴装置。
【請求項９】
前記吐水部は、前記座部に着座した着座者の肩に向かって湯水のシャワー流を吐水する第２の吐水部をさらに有することを特徴とする請求項８記載のシャワー浴装置。
【請求項１０】
前記吐水部は、前記座部に着座した着座者の肩峰部よりも外側から前記肩峰部に向かって湯水のシャワー流をそれぞれ吐水する一対の第３の吐水部をさらに有することを特徴とする請求項８または９に記載のシャワー浴装置。
【請求項１１】
座部と、
背面部と、
前記背面部の前方にせり出して設けられ、前記座部に着座した着座者に向けて吐水を行う吐水部を有するアームと、
前記座部の裏側または内部に設けられた電気−機械振動変換器と、
を備えたことを特徴とするシャワー浴装置。
【請求項１２】
座部と、
背面部と、
前記背面部の前方にせり出して設けられ、前記座部に着座した着座者に向けて吐水を行う吐水部を有するアームと、
前記背面部の裏側または内部に設けられた電気−機械振動変換器と、
を備えたことを特徴とするシャワー浴装置。
【請求項１３】
前記座部は、前記吐水部から吐水された湯水が溜まるように凹状に形成されたことを特徴とする請求項１１または１２に記載のシャワー浴装置。
【請求項１４】
前記背面部に、前記座部に湯水を導くように凹状に形成された背もたれ部を設けたことを特徴とする請求項１１〜１３のいずれか１つに記載のシャワー浴装置。
【発明の詳細な説明】
【技術分野】
【０００１】
本発明は、シャワー浴装置に関し、特に使用者が座った姿勢でシャワー浴を受けることができるシャワー浴装置に関する。
【背景技術】
【０００２】
使用者が座った姿勢でシャワー浴を受けることができるシャワー浴装置として、例えば特許文献１に開示されるものがある。特許文献１によれば、座った姿勢の使用者の背面から肩越しに前方にせり出したアームに設けられた噴霧ノズルから使用者に向けて噴霧がかけられる。
【０００３】
近年、生活習慣が多様化すると共に入浴習慣も多様化しており、シャワー浴に対する要望として、体を洗い流したり、温めるといったこと以外にも、マッサージやリラックス効果も求められるようになってきている。
【特許文献１】国際公開第９７／３０６１９号パンフレット
【発明の開示】
【発明が解決しようとする課題】
【０００４】
本発明は、座った楽な姿勢でシャワー流を受けつつマッサージ効果も得られるシャワー浴装置を提供する。
【課題を解決するための手段】
【０００５】
本発明の一態様によれば、座部と、背面部と、湯水のシャワー流が吐水される吐水部と、前記座部の裏側または内部に設けられた電気−機械振動変換器と、を備えたことを特徴とするシャワー浴装置が提供される。
【０００６】
また、本発明の他の一態様によれば、座部と、背面部と、湯水のシャワー流が吐水される吐水部と、前記背面部の裏側または内部に設けられた電気−機械振動変換器と、を備えたことを特徴とするシャワー浴装置が提供される。
【０００７】
また、本発明のさらに他の一態様によれば、座部と、背面部と、前記背面部の前方にせり出して設けられ、前記座部に着座した着座者に向けて吐水を行う吐水部を有するアームと、前記座部の裏側または内部に設けられた電気−機械振動変換器と、を備えたことを特徴とするシャワー浴装置が提供される。
【０００８】
また、本発明のさらに他の一態様によれば、座部と、背面部と、前記背面部の前方にせり出して設けられ、前記座部に着座した着座者に向けて吐水を行う吐水部を有するアームと、前記背面部の裏側または内部に設けられた電気−機械振動変換器と、を備えたことを特徴とするシャワー浴装置が提供される。
【発明の効果】
【０００９】
本発明によれば、座った楽な姿勢でシャワー流を受けつつマッサージ効果も得られるシャワー浴装置が提供される。
【発明を実施するための最良の形態】
【００１０】
以下に、図面を参照しつつ、本発明の実施形態について説明する。
【００１１】
［第１の実施形態］
図１は、本発明の第１の実施形態に係るシャワー浴装置の外観を模式的に例示する斜視図である。  
図２は、図１におけるＡ−Ａ断面図である。  
図３は、図１におけるＢ−Ｂ断面図である。  
図４は、図１におけるＣ−Ｃ断面図である。
【００１２】
本実施形態に係るシャワー浴装置は、主として、浴室の壁面１００に設けられた背面部２と、浴室の床面１１０上に設けられた台部３と、を備える。本具体例においては、台部３は、背面部２の下部に一体に設けられている。ただし、本発明はこれに限定されず、台部３と、背面部２とを、別体で設けてもよい。
【００１３】
台部３は、背面部２の前方側（図１における矢印ｙの方向）に出張っている。台部３の上面には、その上面の他の部分よりも床面１１０側にくぼんだ凹状の座部４が形成されている。すなわち、浴室壁面１００及び浴室床面１１０に対して略平行な第１の方向ｘ（台部３の幅方向）にみた台部３上面の両端部と、座部４との間には、壁部６を介して、段差が形成されている。
【００１４】
背面部２には、その背面部２の他の部分よりも浴室壁面１００側にくぼんだ凹状の背もたれ部５が形成されている。すなわち、第１の方向ｘにみた背面部２の両端部と、背もたれ部５との間には、壁部７を介して、段差が形成されている。
【００１５】
背もたれ部５および座部４は、ひとつながりの凹部として形成されている。背もたれ部５の第１の方向ｘ（幅方向）にみた両端に設けられた壁部７、および座部４の第１の方向ｘ（幅方向）にみた両端に設けられた壁部６も、ひとつながりになっている。
【００１６】
座部４は、図３（ａ）、（ｂ）に表されるように、第１の方向ｘ（幅方向）にみて凹状に形成されている。そして、さらに図３（ｂ）に表したように一対の凹部４Ａを設けてもよい。これら凹部４Ａは、第２の方向ｙに延在して形成され、座部４に座った着座者の大腿部に対応する。このような凹部４Ａを設けることにより、着座者の大腿部をより安定して支持することができ、また、座部４に溜まった湯水を着座者の脚に向けて流すことができる。
【００１７】
また、座部４は、図２に表されるように、奥行き方向に向かって（背もたれ部５に向かって）下向き傾斜している。すなわち、座部４のくぼみ深さが、奥行き方向に向かって（背もたれ部５に向かって）徐々に深くなっている。
【００１８】
背面部２の上部であって、第１の方向ｘ（幅方向）にみた略中央部には、座部４に座った着座者の頭部、または首から頭部にかけての部分を支持するための頭部支持部２５が設けられている。頭部支持部２５は、背面部２に対して第２の方向（台部３の出張り方向）ｙに出張っている。
【００１９】
背もたれ部５よりも上方の背面部２には、１対の第１の吐水部２１が設けられている。第１の吐水部２１は、第１の方向ｘにみて頭部支持部２５を挟むように頭部支持部２５の左右両側に、それぞれ１つずつ設けられている。第１の吐水部２１は、使用者が座部４に着座した状態で、その着座者の肩よりも上方に位置する。また、座部４と第１の吐水部２１との間の高さは、浴室床面１１０からの座部４の高さよりも大きい。使用者が座部４に着座した際に、１対の第１の吐水部２１間に、着座者の顔または頭部を位置させることができるように、２つの第１の吐水部２１は、第１の方向ｘに互いに離間している。すなわち、１対の第１の吐水部２１は、使用者が座部に着座した状態で、着座者の顔または頭部を挟む位置に設けられている。ただし、第１の吐水部２１は、座部４に着座した使用者の頭部よりも高い位置に設けられていてもよい。第１の吐水部２１の吐水方向は、略水平方向、または水平方向よりやや下方に設定されている。
【００２０】
ここで、「略水平方向」とは、  水平面に対してプラスマイナス４５°以内であることが望ましく、プラスマイナス３０°以内であることがさらに望ましい。また、水平面に対してプラスマイナス２０°以内であることが、よりさらに望ましい。
【００２１】
すなわち、後に詳述するように、座部４に着座した着座者の肩よりも上方に設けられた第１の吐水部２１からは、着座者の下肢近傍に落下するシャワー流が吐水される。この場合、第１の吐水部２１の取付位置が低い場合には、着座者の肩越しにほぼ水平方向に向けてシャワー流を吐水させ着座者の下肢近傍に落下させることができる。一方、第１の吐水部２１の取付位置が高い場合には、水平方向に吐水させるとシャワー流は着座者の下肢よりも遠方に落下してしまうため、水平方向から下向きに吐水させる必要がある。つまり、第１の吐水部２１の取付位置が低い場合にはほぼ水平方向に吐水させ、取付位置が高くなるほど吐水方向を水平方向よりも下向きにする必要がある。
【００２２】
例えば、第１の吐水部２１の取付位置が低く、略水平方向に吐水させる場合には、シャワー流が着座者の下肢近傍に落下するまでの飛距離が短くなり、その結果、シャワー流の温度低下が起こりにくい。また、第１の吐水部２１の取付位置を低くすることによりシャワー浴装置を小型化できる。また、シャワー流が着座者の下肢近傍に落下する時の速度も遅くなる（下向きに吐水する際に加わる加速の影響が少ないからである）ため、シャワー流による着座者への刺激および水跳ねが低減され、着座者は快適に長時間全身シャワーを浴びることが可能となる。
【００２３】
なお、本具体例においては、左右一対の第１の吐水部２１が設けられているが、本発明はこれには限定されず、第１の吐水部２１はひとつでもよい。この場合には、第１の吐水部２１は頭部支持部２５の左右両側に渡り、設けられる。
【００２４】
背もたれ部５よりも上方の背面部２であって、１対の第１の吐水部２１のそれぞれの下方には、１対の第２の吐水部２２が設けられている。第２の吐水部２２の吐水方向は、第１の吐水部２１の吐水方向よりも下方に設定され、着座者の肩に向かって吐水を行うように設定されている。なお、本具体例においては、左右一対の第２の吐水部２２が設けられているが、本発明はこれには限定されず、第２の吐水部２２はひとつでもよい。この場合には、第２の吐水部２２は中心付近に設けられる。
【００２５】
第２の吐水部２２とほぼ同じ高さあるいは第２の吐水部２２よりも少し上方の背面部２であって、第１、第２の吐水部２１、２２及び背もたれ部５よりも、第１の方向ｘ（背もたれ部２の幅方向）にみて外側には、１対の第３の吐水部２３が設けられている。第３の吐水部２３の吐水方向は、第１の吐水部２１の吐水方向よりも第１の方向ｘにみて内側に設定され、着座者の肩峰部に向けて吐水を行うように設定されている。
【００２６】
各吐水部２１〜２３からは、例えば４０〜４５℃程度のシャワー流が吐水される。なお、各吐水部２１〜２３は、２対以上設けてもよい。また、本具体例においては、各吐水部２１〜２３がそれぞれ独立し個別に突出した構造体であるが、本発明はこれには限定されず、例えば、これら吐水部２１〜２３をひとつのユニット体に一体的に内蔵させてもよい。
【００２７】
また、台部３において、その出張り方向（第２の方向ｙ）にみた前方側に位置する前面部２７には、浴室壁面１００側にくぼんだ凹部２８が形成されている。第１の方向ｘにみた前面部２７の両端部と、凹部２８との間には、壁部８を介して、段差が形成されている。凹部２８は座部４とつながっており、壁部８は座部４の両端に形成された壁部６とつながっている。
【００２８】
また、凹部２８の前方の浴室床面１１０上には、足浴槽２９が設けられている。第１〜第３の吐水部２１〜２３から吐水された湯水は、着座者の体表面を伝って、もしくは背もたれ部５および座部４を経て足浴槽２９に溜まる。
【００２９】
図５は、座部４の裏側を模式的に表す斜視図である。  
図６は、座部４の模式側断面図である。
【００３０】
座部４の裏側には、電気信号を機械振動に変換する電気−機械振動変換器７２が設けられている。図示された具体例では、２つの電気−機械振動変換器７２が座部４の裏側に設けられているが、電気−機械振動変換器７２の数は、１つでも３つ以上でもよい。また、座部４が比較的厚い場合には、座部４の内部に電気−機械振動変換器７２を内蔵させてもよい。
【００３１】
次に、本実施形態に係るシャワー浴装置の作用について説明する。  
図７は、着座者２００に対する各吐水部２１〜２３からのシャワー流の吐水の様子を模式的に表す斜視図である。
【００３２】
図２、７に表されるように、第１の吐水部２１からは、略水平方向に噴出し座部４の前縁近傍に落下するシャワー流が吐水される。すなわち、第１の吐水部２１からは、着座者２００の肩越しに着座者２００の前方へと自重により弧を描く軌跡でシャワー流が吐水され、着座者２００の特に大腿部を中心とした下肢近傍にシャワー流が落下する。なおこの時、シャワー流は、着座者２００の下肢だけでなく腹部にも落下するようにしてもよい。
【００３３】
そして、このシャワー流は、着座者２００の膝から足に向けて腹部や下肢の表面を流れる。このような吐水方向に設定することで、着座者２００の後方であって、且つ第１の吐水部２１が着座者２００の下肢から遠い頭部付近に設けられた構成であっても、着座者２００の肩越しに吐水を行うことで、その吐水流が着座者２００に遮られることなく確実に下肢近傍まで到達させて、膝から下の下肢までも温めることができる。また、このように高い位置から吐水させることにより「打たせ湯」のように、シャワー流によるマッサージ効果も下肢近傍に作用させることができる。
【００３４】
また、背もたれ部５の角度や着座者２００の姿勢によっては、第１の吐水部２１から吐水されるシャワー流を着座者２００の下腹部に落下させることもできる。
【００３５】
なお、第１の吐水部２１からのシャワー流が着座者２００の肩の真上を通過する場合に限らず、着座者２００の肩口（肩先）付近を通過する場合も、「肩越し吐水」に含まれる。ただし、着座者２００の肩の真上をシャワー流が通過するようにすれば、着座者２００の背面側に設けられた第１の吐水部２１から最短距離で下肢近傍にまでシャワー流を到達させることができる。すなわち、第１の吐水部２１から吐水されたシャワー流が下肢近傍に至るまでの飛翔中の温度低下を抑制でき、下肢近傍を所望の温度のシャワー流でもって温めることができる。
【００３６】
第２の吐水部２２からは、着座者２００の首の付け根の近くの肩部に向けてシャワー流が吐水される。肩部にあたったシャワー流の一部は、着座者２００の胸部から胴部にかけての側部を中心とした体の前側表面を流れ、シャワー流の他の一部は、背中に回り込む。このようにして、着座者２００の体の前側と背中とをいずれも温めることができる。また、シャワー流によるマッサージ効果も肩部に作用させることができる。なお、前述したように第２の吐水部２２がひとつだけ設けれる場合には、例えば着座者２００の首の後ろから首の付け根の近くの両肩部に向けてシャワー流が吐水され、同様の効果が得られる。
【００３７】
第２の吐水部２２から着座者２００の首の付け根の近くの肩部に向けてシャワー流を吐水し着座者２００の上半身の前面と背中とにシャワー流を流すことにより、着座者２００の後方に設けた１対の第２の吐水部２２だけであっても、着座者２２の上半身全体を効率よく温めることができる。すなわち、吐水部を最小限にして低コスト化を図りつつ、高い温熱効果が得られる。
【００３８】
着座者２００の背面側に回り込んだ湯水は、着座者２００の背中または背もたれ部５を伝って、座部４に向けて連続的に流れる。すなわち、第２の吐水部２２から吐水された湯水が、背もたれ部５へ次々と流れ込むため着座者２００の背中と背もたれ部５との間に温度境界層ができず、湯水の熱が着座者２００の背中に伝わりやすくなる。人体の背中は、温熱受容器（人体が熱を感じる部分）の密度が高いため、少ない流量でも温熱効果を高くでき、使用湯量の節約による節水及び省エネルギーにもなる。
【００３９】
また、背もたれ部５は、第１の方向ｘ（幅方向）の両端に形成された壁部７で仕切られ、また座部４へとつながる凹状に形成されているため、背もたれ部５に流れ込んだ湯水の飛散や流出を抑えて、無駄なく確実に座部４へと湯水を導くことができる。すなわち、少ない流量でも温熱効果を損なうことなく、また、使用湯量の節約による節水及び省エネルギーにもなる。
【００４０】
第３の吐水部２３からは、着座者２００の肩峰部（肩頂部）に向けてシャワー流が吐水される。肩峰部にあたったシャワー流は、第１及び第２の吐水部２１、２２からのシャワー流によってカバーしきれない、腕部の中央付近を中心とした部分に流れて、その部分を温める。第３の吐水部２３から肩峰部に向けてシャワー流を吐水することで、第１及び第２の吐水部２１、２２でカバーしきれない腕部などを、１対だけの吐水部２３でカバーでき、低コストである。
【００４１】
第１〜第３の吐水部２１〜２３から吐水された湯水は、着座者２００の体表面もしくは背もたれ部５を伝って、凹状の座部４に溜まる。座部４に湯水が溜まることで、着座者２００の臀部、および大腿部における少なくとも裏側が確実に湯水に接触した状態となる。これにより、各吐水部２１〜２３からの吐水流が直接当たらない腰部付近を効率的に温めることができる。また、腰部を温めることで、腸内運動の活性化も図れる。
【００４２】
座部４は、第１の方向ｘ（幅方向）の両端に形成された壁部６で仕切られ、また背もたれ部５からつながるくぼみとして形成されているため、湯水の横漏れを抑えて、各吐水部２１〜２３からの湯水を無駄なく効率的に利用できる。すなわち、使用湯水量の節約による節水及び省エネルギーが図れる。
【００４３】
座部４にも、着座者２００の体表面もしくは背もたれ部５を伝って次々と湯水が流れ込むため、着座者２００と座部４との間に温度境界層ができず、湯水の熱が着座者２００の臀部および大腿部に伝わりやすくなり、温熱効果を高めることができる。
【００４４】
またさらに、座部４に溜まった湯水は、前方（図１の方向ｙ）に向けて流出し、着座者２００の脚部から足を流れる。その結果として、湯水を無駄にせずに足まで温めることができる。特に、図３（ｂ）に例示したような凹部４Ａを設けると、座部４に溜まった湯水は着座者２００の脚部に向けて流れやすくなるので効率的である。
【００４５】
また、座部４に溜まった湯水に浸かりつつ、第１〜第３の吐水部２１〜２３によるシャワー流を体全体に受けることで、浴槽への入浴初期と同様なお湯に浸かる感覚（入浴感）を得ることができ、シャワー浴でありながら高い温熱効果を得られる。しかも、浴槽に浸かる場合に比べて水圧が体にかからず体への負担が少ない。浴槽の中に出入りする動作が必要なく、着座した状態で使用できるので、高齢者や身体動作に障害を有する使用者でも高い温熱効果を楽に得ることができる。また、体の部分ごとにシャワーをかけるのではなく、全身にシャワーを同時にかけられるため、短時間で節水しながらシャワーを浴びて体を温めることができる。
【００４６】
また、各吐水部２１〜２３から吐水されるのは噴霧ではなく連続的な水流からなるシャワー流であるため、ミスト（噴霧）を噴出させる場合のように周辺の空間が高温高湿雰囲気にならず、逆上せを防げる。またさらに、気化熱による吐水の温度低下が少ないので、シャワーの設定温度を必要以上に高く設定する必要がなく、経済的である。
【００４７】
なお、本実施形態のシャワー浴装置において第１〜第３の吐水部２１〜２３から吐水されるシャワー流は、各吐水部に設けられた複数のシャワー穴から吐水される。その穴径は、例えば０．２ｍｍ〜４ｍｍの範囲内であることが望ましく、この範囲であれば、少ない流量で広範囲に渡り効率的に温めることができる。
【００４８】
また、着座者２００はその足部を、足浴槽２９に溜まった湯水に浸けることにより、第１〜第３の吐水部２１〜２３から最も遠く、また血流が流れにくく、皮膚温が低い足部の温熱効果を高めることができる。また、足部には、動静脈吻合（ＡＶＡ：arteriovenous anastomosis）があり、足部を足浴槽２９の湯水に浸けることでＡＶＡが開いて血流が増大し、これにより全身の温熱効果が高まる。
【００４９】
また、台部３の前面部２７に、座部４とつながった凹部２８を設けたことで、座部４に溜まった湯水があふれても横漏れせずに凹部２８を流れて足浴槽２９に溜まるため、吐水部２１〜２３からの湯水を無駄なく利用することができる。
【００５０】
また、複数の吐水部を設けたアームが着座者の前方にせり出す特許文献１に比べて、本実施形態では、各吐水部２１〜２３を着座者２００の後方の浴室壁面に一体に設けることにより、限られたスペースの浴室空間内で、設置スペースの省スペース化が図れ、またコンパクトですっきりした構成であるため浴室内での鬱陶しさがなくなり、デザイン性も損なわない。また、前方にせり出すアームがないため、例えば使用者を車いすからシャワー浴装置の座部４へと移乗させる作業も安全且つ容易に行え、使い勝手がよい。
【００５１】
また、各吐水部２１〜２３からのシャワー流の吐水方向を前述したように適切に設定することで、着座者２００の前方に多数の吐水部を設けなくても、着座者の後方に最小限の吐水部を設けるだけで、少量の湯でも効率的に着座者２００の体全体を温めるシャワー浴が実現できる。吐水部を最小限にすることで、低コスト化も図れる。また、必要湯量を抑えることで、節水及び省エネルギーにもなる。
【００５２】
さらに、本実施形態では、座部４の裏側に設けた電気−機械振動変換器７２から座部４に振動が加えられる。座部４は凹状に形成され、そこに湯水が溜まっていることから、その座部４に溜まっている湯水を媒体として、電気−機械振動変換器７２からの振動が、着座者２００の大腿部、臀部、腰部へと広がるように伝わり、湯水による温熱効果と相まってマッサージ効果やリラックス効果が高まる。また、電気−機械振動変換器７２からの振動により、腸や骨盤を刺激することで腸内運動が活性化する。また、電気−機械振動変換器７２からの振動により、着座者２００と座部４との間の温度境界層が破壊され、湯水の熱が着座者２００に伝わりやすくなり温熱効果が高まる。
【００５３】
また、座部４へ振動を与えることにより、凹状に形成された座部４に溜まった湯水が停滞することなく、座部４からその前方に溢れだしやすくなり、このようにして溢れだした湯水により、着座者２００の足部も素早く温めることができる。
【００５４】
また、電気−機械振動変換器７２として、音楽を出力するスピーカを用いれば、音楽を聴くことによるリラクゼーション効果も得られる。また、音楽を出力する場合、その振動の周波数は一定ではなく変化するため、共振位置が変わり、同じ部位だけが集中的にマッサージされることによるもみ疲れなどを回避できる。
【００５５】
以下、本発明の他の実施形態について説明する。なお、前述したものと同様の要素については、同一の符号を付して詳細な説明は省略する。
【００５６】
［第２の実施形態］
図８は、本発明の第２の実施形態に係るシャワー浴装置における座部４の裏側を模式的に表す斜視図である。  
図９は、同座部４の模式側断面図である。
【００５７】
本実施形態では、座部４の裏側に加えて、背もたれ部５の裏側にも、電気信号を機械振動に変換する電気−機械振動変換器７３を設けている。図示された具体例では、２つの電気−機械振動変換器７３が背もたれ部５の裏側に設けられているが、電気−機械振動変換器７３の数は、１つでも３つ以上でもよい。また、背もたれ部５が比較的厚い場合には、背もたれ部５の内部に電気−機械振動変換器７３を内蔵させてもよい。
【００５８】
背もたれ部５は凹状に形成され、着座者２００の背中と背もたれ部５との間に湯水が流れる流路が確保されているため、着座者２００が背中全体を背もたれ部５に密着させていなくても、電気−機械振動変換器７３からの振動が、凹状の流路を流れる湯水を媒体にして着座者２００の背中全体に伝わりやすい。また、浴槽の湯に浸かった状態で振動によるマッサージを受ける場合に比べて、水圧による圧迫感がなく、また、背中だけを振動によってマッサージすることができるので、胸部に振動が加えられることによる圧迫感や不快感がない。
【００５９】
また、電気−機械振動変換器７３からの振動により、着座者２００の背中と背もたれ部５との間の温度境界層が破壊され、湯水の熱が着座者２００の背中に伝わりやすくなり温熱効果が高まる。
【００６０】
また、背もたれ部５に存在する湯水は滞留しているものではなく、流水であるため、電気−機械振動変換器７３の出力振動数が一定であっても、その湯水の流れ具合（速さ、流量等）に応じて、着座者２００と湯水との密着程度が変わるため、電気−機械振動変換器７３から着座者２００への振動の伝わり方（共振位置等）が変化し、着座者２００に対して多様なマッサージ感を与えることができる。
【００６１】
［第３の実施形態］
図１０は、本発明の第３の実施形態に係るシャワー浴装置を模式的に表す側面図である。
【００６２】
本実施形態では、前述した背面部２に設けた吐水部２１〜２３の代わりに、背面部２の上部に、背面部２の前方にせり出したアーム７６を設け、そのアーム７６に複数の吐水部７７を設けている。それら複数の吐水部７７からは、座部４に着座した着座者の肩、腕、胸部、下肢に向けてシャワー流が吐水される。
【００６３】
そして、本実施形態においても、座部４の裏側に電気−機械振動変換器７２を設け、背もたれ部５の裏側に電気−機械振動変換器７３を設けているため、それら電気−機械振動変換器７２、７３からの振動が、座部４に溜まった湯水や、背もたれ部５を流れる湯水を媒体として、着座者２００に加えられる。これにより、湯水による温熱効果と相まってマッサージ効果やリラックス効果が高まる。
【００６４】
以上、具体例を参照しつつ本発明の実施の形態について説明した。しかし、本発明はこれら具体例に限定されるものではない。  
例えば、前述した各実施形態は、技術的に可能な限り適宜組み合わせて実施してもよく、これらも本発明の範囲に包含される。  
また、各具体例における各要素の構造、形状、機能、配置関係、材料などについて当業者が適宜変更あるいは追加したものであっても、本発明の要旨を含む限りにおいて本発明の範囲に包含される。
【図面の簡単な説明】
【００６５】
【図１】本発明の第１の実施形態に係るシャワー浴装置の外観を模式的に例示する斜視図である。
【図２】図１におけるＡ−Ａ断面図である。
【図３】図１におけるＢ−Ｂ断面図である。
【図４】図１におけるＣ−Ｃ断面図である。
【図５】本発明の第１の実施形態に係るシャワー浴装置において、座部の裏側を模式的に表す斜視図である。
【図６】本発明の第１の実施形態に係るシャワー浴装置において、座部の模式側断面図である。
【図７】着座者に対する各吐水部からのシャワー流の吐水の様子を模式的に表す斜視図である。
【図８】本発明の第２の実施形態に係るシャワー浴装置において、座部の裏側を模式的に表す斜視図である。
【図９】本発明の第２の実施形態に係るシャワー浴装置において、座部の模式側断面図である。
【図１０】本発明の第３の実施形態に係るシャワー浴装置を模式的に表す側面図である。
【符号の説明】
【００６６】
２…背面部、３…台部、４…座部、５…背もたれ部、２１…第１の吐水部、２２…第２の吐水部、２３…第３の吐水部、２９…足浴槽、７２，７３…電気−機械振動変換器、１００…浴室壁面、１１０…浴室床面
【図１】
2007268161.tif 000003
【図２】
2007268161.tif 000004
【図３】
2007268161.tif 000005
【図４】
2007268161.tif 000006
【図５】
2007268161.tif 000007
【図６】
2007268161.tif 000008
【図７】
2007268161.tif 000009
【図８】
2007268161.tif 000010
【図９】
2007268161.tif 000011
【図１０】
2007268161.tif 000012